(57)【要約】【課題】音質等に応じて、使用する構成要素を変更可能とすること。【解決手段】携帯電話機１は、増幅回路４、又は、コーデック８にバランス出力ジャック６、及び、アンバランス出力ジャック７を接続するスイッチ９と、増幅回路５、又は、グラウンドにバランス出力ジャック６を接続するスイッチ１０と、ＳｏＣ２と、を備える。ＳｏＣ２は、コーデック８からオーディオデータを出力する場合、スイッチ９により、コーデック８にバランス出力ジャック６、及び、アンバランス出力ジャック７を接続する。また、ＳｏＣ２は、スイッチ１０により、グラウンドにバランス出力ジャック６を接続する。【選択図】図１
2018164197.tif 000002
【特許請求の範囲】
【請求項１】
バランス出力とアンバランス出力とを有する音楽再生装置であって、
音声信号を増幅する第１増幅回路と、
前記音声信号を反転した反転音声信号を増幅する第２増幅回路と、
前記第１増幅回路が増幅した前記音声信号、及び、前記第２増幅回路が増幅した前記反転音声信号が出力されるバランス出力ジャックと、
前記第１増幅回路が増幅した前記音声信号が出力されるアンバランス出力ジャックと、
コーデックと、
前記第１増幅回路、又は、前記コーデックに前記バランス出力ジャック、及び、前記アンバランス出力ジャックを接続する第１スイッチと、
前記第２増幅回路、又は、グラウンドに前記バランス出力ジャックを接続する第２スイッチと、
前記コーデックから前記音声信号を出力する場合、
前記第１スイッチにより、前記コーデックに前記バランス出力ジャック、及び、前記アンバランス出力ジャックを接続し、
前記第２スイッチにより、前記グラウンドに前記バランス出力ジャックを接続する制御部と、
を備えることを特徴とする音楽再生装置。
【請求項２】
前記制御部は、前記コーデックから前記音声信号を出力する場合、前記第１増幅回路、及び、前記第２増幅回路をオフの状態とすることを特徴とする請求項１に記載の音楽再生装置。
【請求項３】
前記制御部は、
前記第１増幅回路、及び、前記第２増幅回路から前記音声信号を出力する場合、
前記第１スイッチにより、前記第１増幅回路に前記バランス出力ジャック、及び、前記アンバランス出力ジャックを接続し、
前記第２スイッチにより、前記第２増幅回路に前記バランス出力ジャックを接続することを特徴とする請求項１又は２に記載の音楽再生装置。
【請求項４】
前記制御部は、前記バランス出力ジャックへのプラグの挿入を検出した場合、前記第１増幅回路、及び、前記第２増幅回路から前記音声信号を出力することを特徴とする請求項３に記載の音楽再生装置。
【請求項５】
前記制御部は、前記第１増幅回路、及び、前記第２増幅回路から前記音声信号を出力しているときに、前記アンバランス出力ジャックへのプラグの挿入を検出した場合、前記音声信号をソフトミュートし、ソフトミュートが完了した後、前記第１スイッチにより、前記コーデックに前記バランス出力ジャック、及び、前記アンバランス出力ジャックを接続し、前記第２スイッチにより、前記グラウンドに前記バランス出力ジャックを接続することを特徴とする請求項１〜４のいずれか１項に記載の音楽再生装置。
【請求項６】
前記制御部は、前記第１スイッチにより、前記コーデックに前記バランス出力ジャック、及び、前記アンバランス出力ジャックを接続し、前記第２スイッチにより、前記グラウンドに前記バランス出力ジャックを接続した後、前記コーデックに、プラグタイプ検出を実行させることを特徴とする請求項５に記載の音楽再生装置。
【発明の詳細な説明】
【技術分野】
【０００１】
本発明は、バランス出力とアンバランス出力とを有する音楽再生装置に関する。
【背景技術】
【０００２】
アンバランス出力には、直径３．５ｍｍの３極端子が用いられており、「ホット」、「コールド」の２種類で音声信号を伝送する。一方、バランス出力には、例えば、直径２．５ｍｍの４極端子が用いられており、「ポジティブ」、「ネガティブ」、の２種類で音声信号を伝送する（例えば、特許文献１参照。）。「ネガティブ」は、「ポジティブ」の逆相である。「ネガティブ」の位相を反転し、「ポジティブ」の信号とミックス（混合）することで、音声信号の振幅は、倍になる。また、出力電流をグラウンドに流さないため、グラウンド電位が安定し、音質を改善できる。図６は、バランス（ＢＴＬ）出力を説明するための図である。上述のように、シングルエンド出力の倍の振幅が得られるが、正相出力の増幅器（ＰＯＳ）の他、逆相出力の増幅器（ＮＥＧ）が必要となる。
【０００３】
出願人は、特願２０１５−１７１９４５号を出願している。図７は、特願２０１５−１７１９４５号におけるデジタルオーディオプレーヤーの回路構成を示す図である。図７に示すように、デジタルオーディオプレーヤーは、ＤＡＣ（Ｄ／Ａコンバーター）１０７、１０８、増幅回路１０９、１１０、ＤＣ／ＤＣコンバーター１１３、リニアレギュレーター１１４、１１５、バランス出力ジャック１１６、アンバランス出力ジャック１１７を備える。
【０００４】
ＤＣ／ＤＣコンバーター１１３は、バッテリーから供給される電圧を昇圧し、昇圧した電圧をリニアレギュレーター１１４、１１５に供給する。リニアレギュレーター１１４は、ＤＡＣ１０７と増幅回路１０９とに電源電圧を供給する。リニアレギュレーター１１５は、ＤＡＣ１０８と増幅回路１１０とに電源電圧を供給する。
【０００５】
ポジティブ側（非反転信号用）のＤＡＣ１０７には、Ｉ２Ｓ形式のＬＲ２チャンネルのデジタルオーディオデータが入力される。ＤＡＣ１０７は、ＬＲ２チャンネルのデジタルオーディオデータを、ＬＲ２チャンネルのアナログオーディオデータにＤ／Ａ変換する。ポジティブ側の増幅回路１０９は、ＤＡＣ１０７がＤ／Ａ変換したＬＲ２チャンネルのアナログオーディオデータを増幅する。増幅回路１０９は、２つの増幅器１１８、１１９を含む。増幅器１１８は、Ｌチャンネルのアナログオーディオデータを増幅する。増幅器１１９は、Ｒチャンネルのアナログオーディオデータを増幅する。増幅回路１０９が増幅したアナログオーディオデーは、バランス出力ジャック１１６、アンバランス出力ジャック１１７に出力される。
【０００６】
ネガティブ側（反転信号用）のＤＡＣ１０８には、Ｉ２Ｓ形式のＬＲ２チャンネルのデジタルオーディオデータが入力される。ＤＡＣ１０８は、ＬＲ２チャンネルのデジタルオーディオデータを、ＬＲ２チャンネルのアナログオーディオデータにＤ／Ａ変換する。ネガティブ側の増幅回路１１０には、ＤＡＣ１０８がＤ／Ａ変換したＬＲ２チャンネルのアナログオーディオデータを反転したＬＲ２チャンネルの反転アナログオーディオデータが入力される。増幅回路１１０は、ＬＲ２チャンネルの反転アナログオーディオデータを増幅する。増幅回路１１０は、２つの増幅器１２０、１２１を含む。増幅器１２０は、Ｌチャンネルの反転アナログオーディオデータを増幅する。増幅器１２１は、Ｒチャンネルの反転アナログオーディオデータを増幅する。増幅回路１１０が増幅した反転アナログオーディオデータは、バランス出力ジャック１１６に出力される。
【０００７】
バランス出力の場合、ＳｏＣ（System on a Chip）は、リニアレギュレーター１１４からの電源電圧をＤＡＣ１０７と増幅回路１０９とに供給する。また、ＳｏＣは、リニアレギュレーター１１５からの電源電圧をＤＡＣ１０８と増幅回路１０９とに供給する。アンバランス出力の場合、ＳｏＣは、リニアレギュレーター１１４からの電源電圧をＤＡＣ１０７と増幅回路１０９とに供給する。一方、ＳｏＣは、リニアレギュレーター１１５をシャットダウンする。このため、リニアレギュレーター１１５と、ＤＡＣ１０８と、増幅回路１１０とは、シャットダウンする。
【０００８】
図８は、図７に示す回路を用いた携帯電話機の構成を示すブロック図である。携帯電話機２０１は、ＳｏＣ２０２、Ｄ／Ａコンバーター（以下、「ＤＡＣ」という。）２０３、増幅回路２０４、２０５、バランス出力ジャック２０６、アンバランス出力ジャック２０７、コーデック２０８、スピーカー２０９、マイク２１０を備える。なお、携帯電話機２０１は、いわゆるスマートフォンである。従来の携帯電話機は、コーデックのみでヘッドホンへの出力を行うが、図８に示す携帯電話機２０１には、高音質・高出力のＤＡＣ２０３、増幅回路２０４、２０５が付加されている。
【０００９】
ＳｏＣ２０２は、ＣＰＵ（Central Processing Unit）、ＤＳＰ（Digital Signal Processor）、メモリ等を有し、携帯電話機１を構成する各部を制御する。
【００１０】
ＤＡＣ２０３には、ＳｏＣ２０２から、Ｉ２Ｓ形式のＬＲ（左右）２チャンネルのデジタルオーディオデータが入力される。ＤＡＣ２０３は、ＬＲ２チャンネルのデジタルオーディオデータを、ＬＲ２チャンネルのアナログオーディオデータにＤ／Ａ変換する。ポジティブ側（非反転信号用）の増幅回路２０４には、ＤＡＣ２０３がＤ／Ａ変換したＬＲ２チャンネルのアナログオーディオデータが入力される。増幅回路２０４は、ＬＲ２チャンネルのアナログオーディオデータを増幅する。増幅回路２０４が増幅したＬＲ２チャンネルのアナログオーディオデータは、バランス出力ジャック２０６、及び、アンバランス出力ジャック２０７に出力される。
【００１１】
ネガティブ側（反転信号用）の増幅回路２０５には、ＤＡＣ２０３がＤ／Ａ変換したＬＲ２チャンネルのアナログオーディオデータを反転したＬＲ２チャンネルの反転アナログオーディオデータが入力される。増幅回路２０５は、ＬＲ２チャンネルの反転アナログオーディオデータを増幅する。増幅回路２０５が増幅したＬＲ２チャンネルの反転アナログオーディオデータは、バランス出力ジャック２０６に出力される。バランス出力ジャック６には、バランス用のヘッドホンのプラグが接続される。アンバランス出力ジャック２０７には、アンバランス用のヘッドホンのプラグが接続される。ヘッドホンは、入力されるアナログオーディオデータに基づいて、音声を出力する。
【００１２】
コーデック２０８は、オーディオデータをエンコード、又は、デコードする。コーデック２０８は、スリムバスにより、ＳｏＣ２０２と通信を行う。コーデック２０８は、アンバランス出力ジャック２０７にヘッドホンプラグが接続されたことを検出するため、アンバランス出力ジャック２０７に接続されている。また、コーデック２０８は、アンバランス出力ジャック２０７のマイク出力に接続されている。ＳｏＣ２０２は、バランス出力ジャック２０６にヘッドホンプラグが接続されたことを検出するため、バランス出力ジャック２０６に接続されている。
【００１３】
図９は、ヘッドホンの４極ジャックを示す図である。ヘッドホンのプラグが挿入されると、チップの電極に機械的に押されたＳＷ＿Ｂ接点が、ＳＷ＿Ａ接点と短絡する。この４極ジャックにおいては、チップとＳＷ＿Ｂとは、電気的に絶縁されている。３．５ｍｍの４極ジャックの場合、チップ＝Ｌ、リング１＝Ｒ、リング２＝グラウンド、スリーブ＝マイクであり、ＣＴＩＡと呼ばれる一般的な配列である。なお、リング２＝マイク、スリーブ＝グラウンドとなる、ＯＭＴＰと呼ばれるタイプも存在する。
【００１４】
２．５ｍｍの４極ジャックの例としては、チップ＝−Ｒ（逆相）、リング１＝＋Ｒ（正相）、リング２＝＋Ｌ（正相）、スリーブ＝−Ｒ（逆相）として使用される。バランス出力とアンバランス出力とで、増幅回路を共用するため、図７に示すように、バランス出力（２．５ｍｍ）の＋Ｌとアンバランス出力（３．５ｍｍ）のＬとは、電気的に接続されている。同様に、バランス出力（２．５ｍｍ）の＋Ｒとアンバランス出力（３．５ｍｍ）のＲとは、電気的に接続されている。
【００１５】
次に、コーデック２０８の機能について説明する。コーデック２０８は、ジャックに設けられたスイッチを利用し、プラグの挿抜状態を検出する。また、コーデック２０８は、プラグ挿入の検出をトリガーとして、プラグタイプ検出、インピーダンス計測を行う。コーデック２０８は、プラグタイプ検出を行う場合、特開２０１０−２７８６９１号公報に記載されているように、マイクバイアス電圧の印加で電極間インピーダンスを調べ、３極ジャック、４極ジャックのいずれであるかの判別を行う。コーデック２０８は、ＣＴＩＡ、ＯＭＴＰのいずれであるかの検出も可能である。コーデック２０８は、マイクバイアス電圧を与えて、ヘッドホン出力にそれが現れるかどうかで判別をすることができる。コーデック２０８は、インピーダンス計測を行う場合、負荷に電流を流し、電圧を測定することで、負荷のインピーダンスを取得する。
【先行技術文献】
【特許文献】
【００１６】
【特許文献１】特開２０１３−００５２９１号公報
【発明の概要】
【発明が解決しようとする課題】
【００１７】
従来の携帯電話機において、コーデックは、携帯電話機用に設計されたものであるため、オーディオ専用のＤＡＣよりも性能が劣る。また、コーデックは、アナログ出力電圧も小さい。また、コーデックには、ヘッドホン用のバランス出力がない。このため、図８に示すように、携帯電話機に、ＤＡＣと増幅回路とが付加されるが、そうすると、コーデックが持つ様々な機能（プラグタイプ検出、インピーダンス計測）を利用できなくなる。また、携帯電話機において、高音質再生を行う必要がない場合、付加されたＤＡＣと増幅回路とを使用するよりは、コーデックを使用して出力した方が、消費電力面で有利である。なお、コーデック、ＤＡＣ、及び、増幅回路を備えた携帯電話機において、コーデック、ＤＡＣ−増幅回路の２系統をアナログスイッチで切り替えるという技術は既に存在している。しかしながら、バランス出力のジャックを備えた携帯電話機については、解決策がなかった。
【００１８】
本発明の目的は、音質等に応じて、使用する構成要素を変更可能とすることである。
【課題を解決するための手段】
【００１９】
第１の発明の音楽再生装置は、バランス出力とアンバランス出力とを有する音楽再生装置であって、音声信号を増幅する第１増幅回路と、前記音声信号を反転した反転音声信号を増幅する第２増幅回路と、前記第１増幅回路が増幅した前記音声信号、及び、前記第２増幅回路が増幅した前記反転音声信号が出力されるバランス出力ジャックと、前記第１増幅回路が増幅した前記音声信号が出力されるアンバランス出力ジャックと、コーデックと、前記第１増幅回路、又は、前記コーデックに前記バランス出力ジャック、及び、前記アンバランス出力ジャックを接続する第１スイッチと、前記第２増幅回路、又は、グラウンドに前記バランス出力ジャックを接続する第２スイッチと、前記コーデックから前記音声信号を出力する場合、前記第１スイッチにより、前記コーデックに前記バランス出力ジャック、及び、前記アンバランス出力ジャックを接続し、前記第２スイッチにより、前記グラウンドに前記バランス出力ジャックを接続する制御部と、を備えることを特徴とする。
【００２０】
本発明では、制御部は、コーデックから音声信号を出力する場合、第１スイッチにより、コーデックにバランス出力ジャック、及び、アンバランス出力ジャックを接続する。また、制御部は、第２スイッチにより、グラウンドにバランス出力ジャックを接続する。従って、高音質の音楽再生が不要な場合、コーデックを使用して、音楽再生を行うことができる。このように、本発明によれば、音質等に応じて、使用する構成要素を変更することができる。
【００２１】
また、高音質の音楽再生が不要な場合、コーデックを使用することで、消費電力を削減することができる。
【００２２】
第２の発明の音楽再生装置は、第１の発明の音楽再生装置において、前記制御部は、前記コーデックから前記音声信号を出力する場合、前記第１増幅回路、及び、前記第２増幅回路をオフの状態とすることを特徴とする。
【００２３】
本発明では、制御部は、コーデックから音声信号を出力する場合、第１増幅回路、及び、第２増幅回路をオフの状態とする。これにより、消費電力を削減することができる。
【００２４】
第３の発明の音楽再生装置は、第１又は第２の発明の音楽再生装置において、前記制御部は、前記第１増幅回路、及び、前記第２増幅回路から前記音声信号を出力する場合、前記第１スイッチにより、前記第１増幅回路に前記バランス出力ジャック、及び、前記アンバランス出力ジャックを接続し、前記第２スイッチにより、前記第２増幅回路に前記バランス出力ジャックを接続することを特徴とする。
【００２５】
本発明では、制御部は、第１増幅回路、及び、第２増幅回路から前記音声信号を出力する場合、第１スイッチにより、第１増幅回路にバランス出力ジャック、及び、アンバランス出力ジャックを接続する。また、制御部は、第２スイッチにより、第２増幅回路にバランス出力ジャックを接続する。従って、高音質の音楽再生が必要な場合、増幅回路を使用して、音楽再生を行うことができる。
【００２６】
第４の発明の音楽再生装置は、第３の発明の音楽再生装置において、前記制御部は、前記バランス出力ジャックへのプラグの挿入を検出した場合、前記第１増幅回路、及び、前記第２増幅回路から前記音声信号を出力することを特徴とする。
【００２７】
第５の発明の音楽再生装置は、第１〜第４のいずれかの発明の音楽再生装置において、前記制御部は、前記第１増幅回路、及び、前記第２増幅回路から前記音声信号を出力しているときに、前記アンバランス出力ジャックへのプラグの挿入を検出した場合、前記音声信号をソフトミュートし、ソフトミュートが完了した後、前記第１スイッチにより、前記コーデックに前記バランス出力ジャック、及び、前記アンバランス出力ジャックを接続し、前記第２スイッチにより、前記グラウンドに前記バランス出力ジャックを接続することを特徴とする。
【００２８】
バランス出力中に、アンバランス出力ジャックへのプラグの挿入時、コーデック経由への切り替えを行うと、バランス出力の信号の連続性が失われることによるノイズが発生する。このため、本発明では、制御部は、第１増幅回路、及び、第２増幅回路から音声信号を出力しているときに、アンバランス出力ジャックへのプラグの挿入を検出した場合、音声信号をソフトミュートし、ソフトミュートが完了した後、第１スイッチにより、コーデックにバランス出力ジャック、及び、アンバランス出力ジャックを接続し、第２スイッチにより、グラウンドにバランス出力ジャックを接続する。これにより、ノイズの発生が防止される。
【００２９】
第６の発明の音楽再生装置は、第５の発明の音楽再生装置において、前記制御部は、前記第１スイッチにより、前記コーデックに前記バランス出力ジャック、及び、前記アンバランス出力ジャックを接続し、前記第２スイッチにより、前記グラウンドに前記バランス出力ジャックを接続した後、前記コーデックに、プラグタイプ検出を実行させることを特徴とする。
【００３０】
増幅回路側から、コーデック側への、出力経路が切り替わる前に、プラグタイプの検出が実行されると、判別の誤動作が発生する。このため、本発明では、制御部は、第１スイッチにより、コーデックにバランス出力ジャック、及び、アンバランス出力ジャックを接続し、第２スイッチにより、グラウンドにバランス出力ジャックを接続した後、コーデックに、プラグタイプ検出を実行させる。これにより、プラグタイプ検出の誤判別が防止される。
【発明の効果】
【００３１】
本発明によれば、音質等に応じて、使用する構成要素を変更することができる。
【図面の簡単な説明】
【００３２】
【図１】本発明の実施形態に係る携帯電話機の構成を示すブロック図である。
【図２】コーデックからオーディオデータを出力する場合を示す図である。
【図３】増幅回路からオーディオデータを出力する場合を示す図である。
【図４】プラグの挿抜状態に対する、スイッチの状態を示す図である。
【図５】バランス出力中に、アンバランス用のヘッドホンのプラグの挿入を検出した場合の処理を説明するための図である。
【図６】バランス（ＢＴＬ）出力を説明するための図である。
【図７】特願２０１５−１７１９４５号におけるデジタルオーディオプレーヤーの回路構成を示す図である。
【図８】図７に示す回路を用いた携帯電話機の構成を示すブロック図である。
【図９】ヘッドホンの４極ジャックを示す図である。
【発明を実施するための形態】
【００３３】
以下、本発明の実施形態について説明する。図１は、本発明の実施形態に係る携帯電話機の構成を示すブロック図である。携帯電話機１（音楽再生装置）は、ＳｏＣ２、Ｄ／Ａコンバーター（以下、「ＤＡＣ」という。）３、増幅回路４、５、バランス出力ジャック６、アンバランス出力ジャック７、コーデック８、スイッチ９、１０を備える。本実施形態では、携帯電話機１の音声出力について説明し、通話機能、通信機能等についての説明を省略する。このため、図１においては、通話機能、通信機能等に関する構成を省略している。なお、本実施形態に係る携帯電話機１は、いわゆるスマートフォンである。
【００３４】
ＳｏＣ２（制御部）は、ＣＰＵ（Central Processing Unit）、ＤＳＰ（Digital Signal Processor）、メモリ等を有し、携帯電話機１を構成する各部を制御する。
【００３５】
ＤＡＣ３には、ＳｏＣ２から、Ｉ２Ｓ形式のＬＲ（左右）２チャンネルのデジタルオーディオデータ（デジタル音声信号）が入力される。ＤＡＣ３は、ＬＲ２チャンネルのデジタルオーディオデータを、ＬＲ２チャンネルのアナログオーディオデータ（アナログ音声信号）にＤ／Ａ変換する。ポジティブ側（非反転信号用）の増幅回路４（第１増幅回路）には、ＤＡＣ３がＤ／Ａ変換したＬＲ２チャンネルのアナログオーディオデータが入力される。増幅回路４は、ＬＲ２チャンネルのアナログオーディオデータを増幅する。増幅回路４が増幅したＬＲ２チャンネルのアナログオーディオデータは、バランス出力ジャック６、及び、アンバランス出力ジャック７に出力される。
【００３６】
ネガティブ側（反転信号用）の増幅回路５（第２増幅回路）には、ＤＡＣ３がＤ／Ａ変換したＬＲ２チャンネルのアナログオーディオデータを反転したＬＲ２チャンネルの反転アナログオーディオデータが入力される。増幅回路５は、ＬＲ２チャンネルの反転アナログオーディオデータを増幅する。増幅回路５が増幅したＬＲ２チャンネルの反転アナログオーディオデータは、バランス出力ジャック６に出力される。バランス出力ジャック６には、バランス用のヘッドホンのプラグが接続される。アンバランス出力ジャック７には、アンバランス用のヘッドホンのプラグが接続される。ヘッドホンは、入力されるアナログオーディオデータに基づいて、音声を出力する。
【００３７】
コーデック８は、オーディオデータをエンコード、又は、デコードする。スリムバス、又は、ＴＤＭにより、ＳｏＣ２からコーデック８にオーディオデータが入力される。コーデック８は、Ｉ２ＣによりＳｏＣ２に制御される。
【００３８】
スイッチ９（第１スイッチ）は、増幅回路４、又は、コーデック８にバランス出力ジャック６、及び、アンバランス出力ジャック７を接続する。スイッチ１０（第２スイッチ）は、増幅回路５、又は、グラウンドにバランス出力ジャック７を接続する。
【００３９】
ＳｏＣ２は、ＤＡＣ３、増幅回路４、５のオン、オフ、スイッチ９、１０の制御を行う。ＳｏＣ２は、コーデック８からオーディオデータを出力する場合、図２に示すように、スイッチ９により、コーデック８にバランス出力ジャック６、及び、アンバランス出力ジャック７を接続する。また、ＳｏＣ２は、スイッチ１０により、グラウンドにバランス出力ジャック７を接続する。また、ＳｏＣ２は、ＤＡＣ３、増幅回路４、５をオフする。ここで、コーデック８の出力にバランスの負荷と、アンバランスの負荷と、が並列に接続されるため、どちらからでも音声を出力することができる。
【００４０】
ＳｏＣ２は、ＤＡＣ３、増幅回路４、５からオーディオデータを出力する場合、図３に示すように、スイッチ９により、増幅回路４にバランス出力ジャック６、及び、アンバランス出力ジャック７を接続する。また、ＳｏＣ２は、スイッチ１０により、増幅回路５にバランス出力ジャック６、及び、アンバランス出力ジャック７を接続する。また、ＳｏＣ２は、ＤＡＣ３、増幅回路４、５をオンする。
【００４１】
ＳｏＣ２は、ＧＰＩＯポートにより、バランス出力ジャック６、アンバランス出力ジャック７へのプラグの挿抜を検出する。ＳｏＣ２は、高音質の音楽再生を行う場合、原則、ＤＡＣ３、増幅回路４、５からオーディオデータを出力する。ＳｏＣ２は、通常の音楽再生を行う場合、コーデック８からオーディオデータを出力する。
【００４２】
図４は、プラグの挿抜状態に対する、スイッチの状態を示す図である。図４に示すように、ＳｏＣ２は、バランス、アンバランス用のヘッドホンのプラグの挿入を未検出の場合、スイッチ９、１０を、コーデック８側に制御する。ＳｏＣ２は、バランス用のヘッドホンのプラグの挿入を検出した後、プラグタイプを検出するまで、スイッチ９、１０をコーデック８側に制御する。ＳｏＣ２は、バランス、アンバランス用双方のヘッドホンのプラグの挿入を検出した場合、音楽（通常、高音質）再生時、スイッチ９、１０をコーデック８側に制御する。ＳｏＣ２は、バランス、アンバランス用双方のヘッドホンのプラグの挿入した場合、音楽（通常、高音質）未再生時、スイッチ９、１０をコーデック８側に制御する。ＳｏＣ２は、バランス、又は、アンバランス用のヘッドホンのプラグの挿入を検出した場合、音楽（通常）再生時、スイッチ９、１０をコーデック８側に制御する。ＳｏＣ２は、バランス、又は、アンバランス用のヘッドホンのプラグの挿入を検出した場合、音楽（高音質）再生時、スイッチ９、１０を増幅回路４、５側に制御する。
【００４３】
ＳｏＣ２は、ＤＡＣ３、増幅回路４、５経由でのバランス出力中に、アンバランス用のヘッドホンのプラグの挿入を検出した場合、スイッチ９、１０をコーデック８側に制御し、コーデック８経由でのアンバランス出力を行う。図５（ａ）に示すように、アンバランス用のヘッドホンのプラグの挿入時に、コーデック８経由への切り替えを行うと、バランス出力の信号の連続性が失われることによるノイズが発生する。これを避けるため、図５（ｂ）に示すように、ＤＡＣ３等でソフトミュート（徐々に減衰させる）を行う必要がある。ここで、ソフトミュートが完了するまで、時間がかかる。
【００４４】
ＳｏＣ２は、ソフトミュートが完了するまで、コーデック８側に出力経路を切り替えない。すなわち、ＳｏＣ２は、増幅回路４、５からオーディオデータを出力しているときに、アンバランス出力ジャック７へのプラグの挿入を検出した場合、オーディオデータをソフトミュートする。そして、ＳｏＣ２は、ソフトミュートが完了した後、スイッチ９により、コーデック８にバランス出力ジャック６、及び、アンバランス出力ジャック７を接続する。また、ＳｏＣ２は、スイッチ１０により、グラウンドにバランス出力ジャック６を接続する。
【００４５】
また、出力経路が切り替わる前に、プラグタイプの検出が実行されると、ＣＴＩＡ／ＯＭＴＰ判別が誤動作する。このため、ＳｏＣ２は、出力経路の切り替え後に、コーデック８にプラグ挿入検出イベントをＧＰＩＯ、又は、Ｉ２Ｃ２を使って発行する。すなわち、ＳｏＣ２は、スイッチ９により、コーデック８にバランス出力ジャック６、及び、アンバランス出力ジャック７を接続し、スイッチ１０により、グラウンドにバランス出力ジャック６を接続した後、コーデック８に、プラグタイプ検出を実行させる。
【００４６】
以上説明したように、本実施形態では、ＳｏＣ２は、コーデック８からオーディオデータを出力する場合、スイッチ９により、コーデック８にバランス出力ジャック６、及び、アンバランス出力ジャック７を接続する。また、ＳｏＣ２は、スイッチ１０により、グラウンドにバランス出力ジャック６を接続する。従って、高音質の音楽再生が不要な場合、コーデック８を使用して、音楽再生を行うことができる。このように、本実施形態によれば、音質等に応じて、使用する構成要素を変更することができる。
【００４７】
また、高音質の音楽再生が不要な場合、コーデック８を使用することで、消費電力を削減することができる。
【００４８】
また、本実施形態では、ＳｏＣ２は、コーデック８からオーディオデータを出力する場合、増幅回路４、５をオフの状態とする。これにより、消費電力を削減することができる。
【００４９】
また、本実施形態では、ＳｏＣ２は、ＤＡＣ３、及び、増幅回路４、５からオーディオデータを出力する場合、スイッチ９により、増幅回路４にバランス出力ジャック６、及び、アンバランス出力ジャック７を接続する。また、ＳｏＣ２は、スイッチ１０により、増幅回路５にバランス出力ジャック６を接続する。従って、高音質の音楽再生が必要な場合、増幅回路４、５を使用して、音楽再生を行うことができる。
【００５０】
バランス出力中に、アンバランス出力ジャック７へのプラグの挿入時、コーデック８経由への切り替えを行うと、バランス出力の信号の連続性が失われることによるノイズが発生する。このため、本実施形態では、ＳｏＣ２は、増幅回路４、５からオーディオデータを出力しているときに、アンバランス出力ジャック７へのプラグの挿入を検出した場合、オーディオデータをソフトミュートし、ソフトミュートが完了した後、スイッチ９により、コーデック８にバランス出力ジャック６、及び、アンバランス出力ジャック７を接続し、スイッチ１０により、グラウンドにバランス出力ジャック６を接続する。これにより、ノイズの発生が防止される。
【００５１】
増幅回路４、５側から、コーデック８側への、出力経路が切り替わる前に、プラグタイプの検出が実行されると、判別の誤動作が発生する。このため、本実施形態では、ＳｏＣ２は、スイッチ９により、コーデック８にバランス出力ジャック６、及び、アンバランス出力ジャック７を接続し、スイッチ１０により、グラウンドにバランス出力ジャック６を接続した後、コーデック８に、プラグタイプ検出を実行させる。これにより、プラグタイプ検出の誤判別が防止される。
【００５２】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５３】
上述の実施形態においては、音楽再生装置として、携帯電話機（スマートフォン）を例示した。これに限らず、タブレットＰＣ、デジタルオーディオプレーヤー（ＤＡＰ）等であってもよい。
【産業上の利用可能性】
【００５４】
本発明は、バランス出力とアンバランス出力とを有する音楽再生装置に好適に採用され得る。
【符号の説明】
【００５５】
１  携帯電話機（音楽再生装置）
２  ＳｏＣ（制御部）
３  ＤＡＣ
４  増幅回路（第１増幅回路）
５  増幅回路（第２増幅回路）
６  バランス出力ジャック
７  アンバランス出力ジャック
８  コーデック
９  スイッチ（第１スイッチ）
１０  スイッチ（第２スイッチ）
【図１】
2018164197.tif 000003
【図２】
2018164197.tif 000004
【図３】
2018164197.tif 000005
【図４】
2018164197.tif 000006
【図５】
2018164197.tif 000007
【図６】
2018164197.tif 000008
【図７】
2018164197.tif 000009
【図８】
2018164197.tif 000010
【図９】
2018164197.tif 000011